Podtech/llm-jp-corpus-v4-ja_patent huggingface dataset:
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
対象のテレビ番組を双方向性番組ガイドのユーザに提供する方法であって、前記方法は、
対象のテレビ番組のユーザ選択をユーザに対してローカルの第１のユーザ装置で受信することであって、前記テレビ番組は、スケジュールされた放送時間を有する、ことと、
前記スケジュールされた放送時間の開始時に前記選択された対象のテレビ番組を前記ユーザが前記第１のユーザ装置で視聴しているかどうかを決定することと、
前記スケジュールされた放送時間の開始時に前記選択された対象のテレビ番組を前記ユーザが視聴していないと決定することに基づいて、前記スケジュールされた放送時間の開始後に、前記第１のユーザ装置に対してリモートのサーバに設置されたネットワーク・ベース・ビデオレコーダのユーザのパーソナルファイル空間に格納された前記選択された対象のテレビ番組の録画が表示されるようにすることであって、前記ユーザのパーソナルファイル空間は、前記ユーザがアクセス可能であるが他のユーザがアクセス可能でない録画を格納する、ことと、
前記ユーザに対してローカルの第２のユーザ装置で前記ユーザのパーソナルファイル空間に格納された前記録画へのアクセスを提供することと
を含む、方法。
【請求項２】
前記選択されたテレビ番組の録画が表示されるようにすることは、
前記ネットワーク・ベース・ビデオレコーダを用いて、前記対象のテレビ番組を録画することと、
前記録画された番組を後の時間に前記ユーザが視聴することを可能にすることと
を含む、請求項１に記載の方法。
【請求項３】
前記ネットワーク・ベース・ビデオレコーダの前記ユーザのパーソナルファイル空間に格納された前記選択されたテレビ番組の録画が表示されるようにすることは、
前記対象の番組を後の時間に前記ユーザが視聴することに対するリマインダーを設定することを可能にすることをさらに含む、請求項１に記載の方法。
【請求項４】
対象のテレビ番組を双方向性番組ガイドのユーザに提供するシステムであって、
対象のテレビ番組のユーザ選択をユーザに対してローカルの第１のユーザ装置で受信する手段であって、前記テレビ番組は、スケジュールされた放送時間を有する、手段と、
前記スケジュールされた放送時間の開始時に前記選択された対象のテレビ番組を前記ユーザが前記第１のユーザ装置で視聴しているかどうかを決定する手段と、
前記スケジュールされた放送時間の開始後に、前記第１のユーザ装置に対してリモートのサーバに設置されたネットワーク・ベース・ビデオレコーダのユーザのパーソナルファイル空間に格納された前記選択された対象のテレビ番組の録画が表示されるようにする手段であって、前記選択された対象のテレビ番組の録画は、前記スケジュールされた放送時間の前記開始時に前記選択された対象のテレビ番組を前記ユーザが視聴していないと決定することに基づいて表示され、前記ユーザのパーソナルファイル空間は、前記ユーザがアクセス可能であるが他のユーザがアクセス可能でない録画を格納する、手段と、
前記ユーザに対してローカルの第２のユーザ装置で前記ユーザのパーソナルファイル空間に格納された前記録画へのアクセスを提供する手段と
を含む、システム。
【請求項５】
前記選択されたテレビ番組の録画が表示されるようにする手段は、
前記ネットワーク・ベース・ビデオレコーダを用いて、前記対象のテレビ番組を録画する手段と、
前記録画された番組を後の時間に前記ユーザが視聴することを可能にする手段と
を含む、請求項４に記載のシステム。
【請求項６】
前記ネットワーク・ベース・ビデオレコーダの前記ユーザのパーソナルファイル空間に格納された前記選択されたテレビ番組の録画が表示されるようにする手段は、
前記対象の番組を後の時間に前記ユーザが視聴することに対するリマインダーを設定することを可能にする手段をさらに含む、請求項４に記載のシステム。
【手続補正書】
【提出日】令和2年2月3日(2020.2.3)
【手続補正１】
【補正対象書類名】明細書
【補正対象項目名】０００４
【補正方法】変更
【補正の内容】
【０００４】しかし、この花器を洗う時には、下にある輪が邪魔になる欠点があった。
【手続補正２】
【補正対象書類名】明細書
【補正対象項目名】０００５
【補正方法】変更
【補正の内容】
【０００５】本発明は、それを解決するために、三角形の鉢型の花器の三か所の角の内壁の上部に輪（１）を水平に１個ずつ設ける。そしてその輪の真下の底に丸い窪み（２）を設ける。その窪みを設けるために底部分全体を厚くすることはせず底に丸い穴をあけて、その穴を円盤（３）で下からふさぐ。
【手続補正３】
【補正対象書類名】明細書
【補正対象項目名】０００６
【補正方法】変更
【補正の内容】
【０００６】本発明の花器は下の輪がなくなり楽に洗えるようになり、上の輪から刺した花の下部は花器の底にある窪みに達して花は上の輪と底の窪みで支えられて直立できる。３つの円盤は窪みの底部分を形作るだけでなく花器の高台としての役目もして一石二鳥の働きをする。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記化粧品容器は、前記正面壁部及び前記背面壁部の面積が、前記右側面壁部及び前記左側面壁部の面積よりも大きく形成されており、正面視において、前記キャップの最上部を頂点として、前記底面壁部を底辺とし、角を丸めた二等辺三角形の形状に形成されており、前記容器本体は光透過性を有する材料で形成されており、
さらに、
前記右側面壁部及び前記左側面壁部の厚さは、前記本体上部における前記本体螺子部側の位置から前記本体下部に向かって、徐々に薄くなるように構成されている、化粧品容器。
【請求項２】
前記右側面壁部及び前記左側面壁部の厚さは、前記本体中部において、前記右側面壁部及び前記左側面壁部の厚さが減少していく程度が大きくなる減少率増加位置を有する、請求項１に記載の化粧品容器。
【請求項３】
前記本体中部と前記本体下部の境界部が、前記容器本体において最も壁の厚さが薄い最薄部として形成されている、請求項２に記載の化粧品容器。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
前記貯留領域の外側であり、且つ、前記貯留領域よりも当該遊技機の前方側に設けられる第１の貯留領域外傾斜部と、
前記貯留領域の外側であり、且つ、前記タンクレール部の上方に設けられる第２の貯留領域外傾斜部と
を備え、
前記第１の貯留領域外傾斜部は、前記貯留領域の外側に溢れた遊技球を前記貯留領域内に流入させることが可能な第１傾斜面を有し、
前記第２の貯留領域外傾斜部は、前記貯留領域の外側に溢れた遊技球を前記タンクレール部に流入させることが可能な第２傾斜面を有し、
前記第１傾斜面は、前記貯留領域に遊技球を戻すことができる所定の左右幅を有しており、該第１傾斜面に対して当該遊技機の側方側には別傾斜面が設けられており、
前記第２傾斜面は、所定の左右幅を有しており、該第２傾斜面に対して当該遊技機の前方側には前記別傾斜面が設けられており、
前記第２傾斜面と前記別傾斜面は、当該遊技機の前方側から後方側に下り傾斜するように構成されてなり、
前記第２傾斜面を流下した遊技球は、所定の開口箇所を通じて前記タンクレール部に流入しうるものであり、
前記タンクレール部の側壁部のうち、前記所定の開口箇所を形成する側壁部の高さは、少なくとも２個の遊技球の径よりも大きい
ことを特徴とする遊技機。
【手続補正２】
【補正対象書類名】明細書
【補正対象項目名】０００７
【補正方法】変更
【補正の内容】
【０００７】
本発明は、
遊技機裏面側の上部に備えられており、島設備から供給される遊技球を貯留可能な貯留領域を有する貯留部と、
前記貯留領域に貯留されている遊技球を、所定の払出装置が位置する下流側に向けて球誘導可能なタンクレール部と、
前記貯留領域の外側であり、且つ、前記貯留領域よりも当該遊技機の前方側に設けられる第１の貯留領域外傾斜部と、
前記貯留領域の外側であり、且つ、前記タンクレール部の上方に設けられる第２の貯留領域外傾斜部と
を備え、
前記第１の貯留領域外傾斜部は、前記貯留領域の外側に溢れた遊技球を前記貯留領域内に流入させることが可能な第１傾斜面を有し、
前記第２の貯留領域外傾斜部は、前記貯留領域の外側に溢れた遊技球を前記タンクレール部に流入させることが可能な第２傾斜面を有し、
前記第１傾斜面は、前記貯留領域に遊技球を戻すことができる所定の左右幅を有しており、該第１傾斜面に対して当該遊技機の側方側には別傾斜面が設けられており、
前記第２傾斜面は、所定の左右幅を有しており、該第２傾斜面に対して当該遊技機の前方側には前記別傾斜面が設けられており、
前記第２傾斜面と前記別傾斜面は、当該遊技機の前方側から後方側に下り傾斜するように構成されてなり、
前記第２傾斜面を流下した遊技球は、所定の開口箇所を通じて前記タンクレール部に流入しうるものであり、
前記タンクレール部の側壁部のうち、前記所定の開口箇所を形成する側壁部の高さは、少なくとも２個の遊技球の径よりも大きい
ことを特徴とする。
また、本発明とは別の発明として以下の手段を参考的に開示する。
手段１：遊技機において、
「遊技が行われる遊技領域が前面に形成されている透明平板状のパネル板と、
前記遊技領域の外周の少なくとも一部を区画する前構成部材と、
該前構成部材の後側に設けられ、前記パネル板の外周を保持するパネルホルダと、
該パネルホルダに設けられており、前記パネル板の側面に光を入射可能な発光手段が実
装されているパネル装飾基板と、
前記パネル板の後面に形成されており、前方から常時視認することができると共に、前記発光手段により前記パネル板の側面から入射された光を前方へ反射させて該パネル板の後面を発光装飾する装飾パターンと
を具備している」ものであることを特徴とする。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
情報処理装置に、
第１ゲーム媒体および第２ゲーム媒体と、ユーザゲーム媒体の対戦を仮想空間において開始する第１ステップと、
前記第２ゲーム媒体が第１条件を満たした場合に、前記仮想空間から前記第２ゲーム媒体を消滅させる第２ステップと、
第２条件が満たされた場合に、前記第２ゲーム媒体を前記仮想空間に再配置する第３ステップと、
再配置された前記第２ゲーム媒体の配置位置に応じて、前記第１ゲーム媒体の性質を変更する第４ステップと、を実行させるゲーム制御プログラム。
【請求項２】
前記第４ステップでは、前記第１ゲーム媒体の属性、対戦パラメータおよびスキルの少なくとも１つを変更する、請求項１に記載のゲーム制御プログラム。
【請求項３】
前記第４ステップでは、前記第１ゲーム媒体の性質の変更を示す情報を表示する、請求項１または２に記載のゲーム制御プログラム。
【請求項４】
前記第２ステップでは、前記第２ゲーム媒体が前記第１条件を満たした場合に、前記第２ゲーム媒体と所定の位置関係を有する前記第１ゲーム媒体のパラメータを変更するとともに、前記仮想空間から前記第２ゲーム媒体を消滅させる、請求項１乃至３のいずれかに記載のゲーム制御プログラム。
【請求項５】
前記第２条件は、前記第１ゲーム媒体の所定パラメータが所定値になったことである、請求項１乃至４のいずれかに記載のゲーム制御プログラム。
【請求項６】
前記第２条件は、前記仮想空間から前記第２ゲーム媒体が消滅してから所定時間が経過したことである、請求項１乃至４のいずれかに記載のゲーム制御プログラム。
【請求項７】
前記第２条件は、前記第１ゲーム媒体が所定行動を所定数行ったことである、請求項１乃至４のいずれかに記載のゲーム制御プログラム。
【請求項８】
前記第２条件は、前記第１ゲーム媒体が所定行動を所定数受けたことである、請求項１乃至４のいずれかに記載のゲーム制御プログラム。
【請求項９】
前記仮想空間に再配置される前記第２ゲーム媒体の特性は、前記仮想空間から消滅する前の前記第２ゲーム媒体の特性とは異なる、請求項１乃至８のいずれかに記載のゲーム制御プログラム。
【請求項１０】
前記仮想空間に再配置される前記第２ゲーム媒体の配置位置は、前記仮想空間から消滅する前の前記第２ゲーム媒体の配置位置とは異なる、請求項１乃至９のいずれかに記載のゲーム制御プログラム。
【請求項１１】
前記第４ステップは、前記再配置された前記第２ゲーム媒体の配置位置パターンに応じて、前記第１ゲーム媒体の性質を変更する、請求項１乃至１０のいずれかに記載のゲーム制御プログラム。
【請求項１２】
前記第４ステップは、前記再配置された前記第２ゲーム媒体の、複数の配置位置パターンから選択された配置位置パターンに応じて、前記第１ゲーム媒体の性質を変更する、請求項１１に記載のゲーム制御プログラム。
【請求項１３】
第１手段が、第１ゲーム媒体および第２ゲーム媒体と、ユーザゲーム媒体の対戦を仮想空間において開始するステップと、
第２手段が、前記第２ゲーム媒体が第１条件を満たした場合に、前記仮想空間から前記第２ゲーム媒体を消滅させるステップと、
第３手段が、第２条件が満たされた場合に、前記第２ゲーム媒体を前記仮想空間に再配置するステップと、
第４手段が、再配置された前記第２ゲーム媒体のパターンに応じて、前記第１ゲーム媒体の性質を変更するステップと、を備えるゲーム制御方法。
【請求項１４】
第１ゲーム媒体および第２ゲーム媒体と、ユーザゲーム媒体の対戦を仮想空間において開始する第１手段と、
前記第２ゲーム媒体が第１条件を満たした場合に、前記仮想空間から前記第２ゲーム媒体を消滅させる第２手段と、
第２条件が満たされた場合に、前記第２ゲーム媒体を前記仮想空間に再配置する第３手段と、
再配置された前記第２ゲーム媒体のパターンに応じて、前記第１ゲーム媒体の性質を変更する第４手段と、を備えるゲーム制御装置。
【手続補正書】
【提出日】令和2年3月3日(2020.3.3)
【手続補正１】
【補正対象書類名】明細書
【補正対象項目名】０００４
【補正方法】変更
【補正の内容】
【０００４】
このような複合材料３であるワークを平面研削盤を用いて、そのメタルボンドダイヤモンド砥石等の研削砥石により平面研削するに際しては、一般にインフィード・オシレート方式が採用される。この場合の平面研削法には、所定速度で研削砥石を連続的に切り込む連続的研削法（図１４参照）と、研削砥石の前進、後退を交互に繰り返しながら研削砥石を断続的に切り込む断続的研削法（特許文献１）とがある。
【手続補正２】
【補正対象書類名】明細書
【補正対象項目名】００１６
【補正方法】変更
【補正の内容】
【００１６】
【図１】本発明の第１の実施形態を示す縦型両頭平面研削盤の概略図である。
【図２】同研削状態の説明図である。
【図３】同研削砥石の動きと負荷電流の関係を示す図である。
【図４】同ステップ切込の説明図である。
【図５】同研削と負荷電流の関係を示す図である。
【図６】同砥石番手と平均砥粒径との関係を示す図である。
【図７】同砥石番手の違いによる実研削結果を示す図である。
【図８】同砥石番手と粒径比との関係を示す図である。
【図９】同研削結果を示す図である。
【図１０】同砥石番手と切込上限量等の関係を示す図である。
【図１１】本発明の第２の実施形態を示す制御系のブロック図である。
【図１２】同フローチャートである。
【図１３】複合材料及び研削状態の説明図である。
【図１４】従来の研削法の研削砥石の動きと負荷電流の関係を示す図である。
【手続補正３】
【補正対象書類名】明細書
【補正対象項目名】００２３
【補正方法】変更
【補正の内容】
【００２３】
一定切込量Ｄは、１秒の一定時間間隔Ｔで上側の研削砥石７を切り込んだ場合に、停止ステップＥ１の停止時間の１秒間に上下の研削砥石７，８がワーク６を研削可能な最大研削量未満であって、その研削と次の切込ステップＥ２との間に軽負荷のスパークアウト研削又はそれに近い状態で研削（以下、スパークアウト研削という）できるように設定されている。
【手続補正４】
【補正対象書類名】明細書
【補正対象項目名】００３４
【補正方法】変更
【補正の内容】
【００３４】
しかし、切込ステップＥ２−１後の停止ステップＥ１中は、上側の研削砥石７の切り込みが行われず、各研削砥石７，８は研削の進行に伴って弾性変形が戻りつつワーク６の研削を実行するため、砥石軸用駆動モータ１３，１４の研削負荷が徐々に小さくなり、その研削負荷の低下に伴って負荷電流Ｉ１も傾斜状に立ち下がる（Ｉ１−２）。
【手続補正５】
【補正対象書類名】明細書
【補正対象項目名】００３５
【補正方法】変更
【補正の内容】
【００３５】
上下の研削砥石７，８が０．５μｍ近く研削して装置全体の弾性変形が戻れば、研削砥石７，８は次の切込ステップＥ２−２までの間に軽負荷状態でスパークアウト研削をするため、その後の負荷電流Ｉ１は次の切込ステップＥ２−２まで略一定値を辿る（Ｉ１−３）。
【手続補正６】
【補正対象書類名】明細書
【補正対象項目名】００７６
【補正方法】変更
【補正の内容】
【００７６】
全ての演算等が終了すると研削開始指令を待って（Ｓ９）、ステップ切込制御手段１７が送り用駆動モータ１５を介して砥石を一定時間間隔Ｔで一定切込量Ｄずつワーク６に対して間欠的に切り込むステップ切込制御を行う（Ｓ１０）。そして、ワーク６が所定の仕上がり寸法になるまでステップ切込制御を継続し（Ｓ１０、Ｓ１１）、所定の仕上がり寸法になれば（Ｓ１１）、ステップ切込制御によるワーク６の研削を終了する。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
吸気通路に配置され、複数のフィルタが前記吸気通路の断面方向に沿って配列された少なくとも１つのフィルタ層を含むフィルタユニットの品質管理を行うためのフィルタユニット品質管理システムであって、
前記フィルタ層のいずれか一つを構成する前記複数のフィルタの少なくとも一部の各々に対応して設けられ、前記フィルタのフィルタ寿命に関する評価パラメータを検出する複数の評価パラメータ検出部と、
前記複数のパラメータ検出部の検出値に基づいて前記複数のフィルタにおける前記評価パラメータの分布を求め、前記分布に基づいて前記フィルタ層の品質を評価する品質評価部と、
を備える、フィルタユニット品質管理システム。
【請求項２】
前記品質評価部は、前記評価パラメータの過渡的変化に基づいて前記複数のフィルタの各々における目詰まり度を評価する、請求項１に記載のフィルタユニット品質管理システム。
【請求項３】
前記複数のフィルタの各々はハウジング内にフィルタエレメントを収容しており、
前記評価パラメータは前記ハウジング内のフィルタ差圧である、請求項２に記載のフィルタユニット品質管理システム。
【請求項４】
前記評価パラメータは前記ハウジングの歪み度である、請求項２に記載のフィルタユニット品質管理システム。
【請求項５】
前記品質評価部は、前記評価パラメータが一時的に増加した第１フィルタがあった場合、前記第１フィルタにおいて目詰まりが生じたと評価する、請求項２から４のいずれか一項に記載のフィルタユニット品質管理システム。
【請求項６】
前記品質評価部は、前記第１フィルタに隣接する第２フィルタにおいて、前記第１フィルタより遅れて前記評価パラメータが増加したか否かに基づいて、前記第１フィルタに対する評価結果を検証する、請求項５に記載のフィルタユニット品質管理システム。
【請求項７】
前記品質評価部は、前記評価パラメータの絶対値に基づいて前記複数のフィルタの各々における目詰まり度を評価する、請求項１に記載のフィルタユニット品質管理システム。
【請求項８】
前記評価パラメータは、前記フィルタにおける吸気流量である、請求項７に記載のフィルタユニット品質管理システム。
【請求項９】
前記品質評価部は、前記評価パラメータが減少した第１フィルタがあった場合、前記第１フィルタにおいて目詰まりが生じたと評価する、請求項７又は８に記載のフィルタユニット品質管理システム。
【請求項１０】
前記品質評価部は、前記第１フィルタに隣接する第２フィルタにおいて、前記第１フィルタより遅れて前記評価パラメータが増加したか否かに基づいて、前記第１フィルタに対する評価結果を検証する、請求項９に記載のフィルタユニット品質管理システム。
【請求項１１】
前記複数のフィルタの各々はハウジング内にフィルタエレメントを収容しており、
前記評価パラメータは、前記ハウジング内のフィルタ差圧、及び、前記フィルタを通過する吸気流量を含み、
前記品質評価部は、前記差圧及び吸気流量を用いて算出される流動抵抗に基づいて前記目詰まり度を評価する、請求項１に記載のフィルタユニット品質管理システム。
【請求項１２】
前記評価パラメータ検出部は、前記少なくとも一つのフィルタ層に含まれる全ての前記フィルタに設けられる、請求項１から１１のいずれか一項に記載のフィルタユニット品質管理システム。
【請求項１３】
前記評価パラメータ検出部は、前記少なくとも一つのフィルタ層のうち一部領域に配置された前記フィルタに設けられている、請求項１から１１のいずれか一項に記載のフィルタユニット品質管理システム。
【請求項１４】
前記少なくとも１つのフィルタ層は、前記吸気通路に沿って設けられた複数のフィルタ層を含み、
前記評価パラメータ検出部は、前記複数のフィルタ層のうち少なくとも最下流側に配置されたフィルタ層に設けられている、請求項１から１３のいずれか一項に記載のフィルタユニット品質管理システム。
【請求項１５】
前記評価パラメータ検出部は、前記品質評価部に対して無線で接続される、請求項１から１４のいずれか一項に記載のフィルタユニット品質管理システム。
【請求項１６】
前記吸気通路はガスタービンの吸気口に接続される、請求項１から１５のいずれか一項に記載のフィルタユニット品質管理システム。
【請求項１７】
吸気通路に配置され、複数のフィルタが前記吸気通路の断面方向に沿って配列された少なくとも１つのフィルタ層を含むフィルタユニットの品質管理を行うためのフィルタユニット品質管理方法であって、
前記フィルタ層のいずれか一つを構成する前記複数のフィルタの少なくとも一部の各々について目詰まり度に関する評価パラメータをそれぞれ検出する工程と、
前記検出された評価パラメータの各々に基づいて前記複数のフィルタにおける前記評価パラメータの分布を求め工程と、
前記分布に基づいて前記フィルタ層の品質を評価する工程と、
を備える、フィルタユニット品質管理方法。
【手続補正２】
【補正対象書類名】明細書
【補正対象項目名】００６４
【補正方法】変更
【補正の内容】
【００６４】
第１フィルタ１４ａでは、時刻ｔ０で目詰まりが生じると、第１フィルタ１４ａの流動抵抗が増大することで、差圧が一時的に増加する。このときフィルタ１４aの流動抵抗の増大によりフィルタ１４aへの流入量の低下のため、一時的に増加した差圧は、時刻ｔ１で最大値を示した後、低下する。一方、第１フィルタ１４ａに隣接する第２フィルタ１４ｂでは、第１フィルタ１４ａを通過できない吸気が流れ込むことにより、差圧が上昇する。このような第２フィルタ１４ｂにおける差圧上昇は、時刻ｔ１より遅い時刻ｔ２で生じる。
尚、以下の説明では、目詰まりが生じている第１フィルタ１４ａに対応する差圧の時間変化をパターンＡと称し、第２フィルタ１４ｂに対応する差圧の時間変化をパターンＢと称することとする。
【手続補正３】
【補正対象書類名】明細書
【補正対象項目名】００６８
【補正方法】変更
【補正の内容】
【００６８】
尚、本実施形態では差圧センサ１０２が全てのフィルタ１４に設けられている場合について例示したが、差圧センサ１０２が一部のフィルタ１４にしか設けられていない場合には、差圧センサ１０２が配置されたフィルタ１４の位置によっては第１フィルタ１４ａ及び第２フィルタ１４ｂの両方を直接的に特定できない場合も考えられる。しかしながら、このような場合であっても、前述したように第１フィルタ１４ａのみによって、目詰まりが生じている領域を特定してもよいし、第２フィルタ１４ｂの分布状況を特定することによって、当該第２フィルタ１４ｂに隣接する第１フィルタ１４ａを間接的に特定してもよい。
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
インクを吐出する複数のノズルが配列されたノズル列を有する記録ヘッドと、
記録媒体を第１の方向に搬送する搬送手段と、
前記ノズル列の方向がおおよそ前記第１の方向となるように前記記録ヘッドを搭載し前記第１の方向と交差する第２の方向に往復移動するキャリッジと、
前記キャリッジが第１の速度で移動しているときに第１のパターンを記録媒体に記録し、前記キャリッジが前記第１の速度における移動と同じ方向に前記第１の速度とは異なる第２の速度で移動しているときに第２のパターンを前記記録媒体に記録する記録手段と、
前記記録手段により記録された前記第１のパターンと前記第２のパターンとに基づいて前記第２の方向に対する記録ずれを調整するための調整値を算出する算出手段と、
前記第１の方向に関する前記記録ヘッドの傾きを調整する調整手段と、
前記算出手段により算出された前記調整値を前記調整手段に対して指示する指示手段と、を有することを特徴とする記録装置。
【請求項２】
前記調整手段は、前記第１の方向と前記第２の方向に直交する第３の方向の周りに前記記録ヘッドを回転させて前記記録ヘッドの傾きを調整し、
前記指示手段は、前記調整値に従った回動が可能な前記調整手段の側面に設けられたレバーであることを特徴とする請求項１に記載の記録装置。
【請求項３】
前記第１のパターンと前記第２のパターンそれぞれは、前記第２の方向に並べて記録される複数のパッチを含み、
前記複数のパッチそれぞれは、前記ノズル列の方向に記録される罫線を含み、
前記記録手段は、前記罫線のうちの一部を、前記複数のノズルのうち前記第１の方向に関し前記記録媒体の搬送の上流側にあるノズルを用いて記録し、前記罫線のうちの残りの部分を、前記複数のノズルのうち前記第１の方向に関し前記記録媒体の搬送の下流側にあるノズルを用いて記録することを特徴とする請求項２に記載の記録装置。
【請求項４】
前記記録手段は、前記第２の方向に前記複数のパッチを並べて記録する際に、前記記録媒体の搬送の下流側にあるノズルによる記録位置は変化させずに記録を行い、前記記録媒体の搬送の上流側にあるノズルによる記録位置を前記複数のパッチで変化させて記録を行うことを特徴とする請求項３に記載の記録装置。
【請求項５】
前記第１のパターンと前記第２のパターンそれぞれは、前記第１の方向に並べて記録される複数のパッチを含み、
前記複数のパッチそれぞれは、前記ノズル列の方向に記録される罫線を含み、
前記記録手段は、前記罫線のうちの一部を、前記複数のノズルのうち前記第１の方向に関し前記記録媒体の搬送の上流側にあるノズルを用いて記録し、前記罫線のうちの残りの部分を、前記複数のノズルのうち前記第１の方向に関し前記記録媒体の搬送の下流側にあるノズルを用いて記録することを特徴とする請求項２に記載の記録装置。
【請求項６】
前記記録手段は、前記第１の方向に前記複数のパッチを並べて記録する際に、前記記録媒体の搬送の下流側にあるノズルによる記録位置は変化させずに記録を行い、前記記録媒体の搬送の上流側にあるノズルによる記録位置を前記複数のパッチで変化させて記録を行うことを特徴とする請求項５に記載の記録装置。
【請求項７】
前記算出手段は、前記記録媒体に記録された前記第１のパターンと前記第２のパターンそれぞれにおいて、前記上流側にあるノズルを用いて記録された前記罫線の一部と前記下流側にあるノズルを用いて記録された前記罫線の残りの部分とが一致する場合の記録位置に基づいて、前記調整値を算出することを特徴とする請求項４又は６に記載の記録装置。
【請求項８】
前記罫線の一部と前記罫線の残りの部分との一致の確認は、ユーザによる前記第１のパターンと前記第２のパターンの目視によってなされることを特徴とする請求項７に記載の記録装置。
【請求項９】
前記調整値は、
Δｘθ＝（Δｘ２×Ｖｃ１−Δｘ１×Ｖｃ２）／（Ｖｃ１−Ｖｃ２）の式に従って算出され、
Δｘθは前記調整値、Ｖｃ１は前記第１の速度、Ｖｃ２は前記第２の速度、
Δｘ１は前記第１のパターンにおける前記罫線の一部と前記罫線の残りの部分とが一致した場合に対応した記録位置のずれ量、
Δｘ２は前記第２のパターンにおける前記罫線の一部と前記罫線の残りの部分とが一致した場合に対応した記録位置のずれ量、
であることを特徴とする請求項７又は８に記載の記録装置。
【請求項１０】
前記ユーザによって一致が確認された罫線に対応する記録位置の情報を入力する入力手段と、
前記算出手段によって算出された調整値を表示し、前記ユーザによる指示を促す表示手段とをさらに有することを特徴とする請求項８に記載の記録装置。
【請求項１１】
前記記録ヘッドは、複数のインクを吐出するために、前記複数のノズルが配列された方向とは異なる方向に前記ノズル列を複数、備えることを特徴とする請求項１乃至１０のいずれか１項に記載の記録装置。
【請求項１２】
インクを吐出する複数のノズルが配列されたノズル列を有する記録ヘッドと、記録媒体を第１の方向に搬送する搬送手段と、前記ノズル列の方向がおおよそ前記第１の方向となるように前記記録ヘッドを搭載し前記第１の方向と交差する第２の方向に往復移動するキャリッジとを備えた記録装置における記録ヘッドの調整方法であって、
前記キャリッジが第１の速度で移動しているときに第１のパターンを記録媒体に記録する第１の記録工程と、
前記キャリッジが前記第１の速度における移動と同じ方向に前記第１の速度とは異なる第２の速度で移動しているときに第２のパターンを前記記録媒体に記録する第２の記録工程と、
前記第１の記録工程と前記第２の記録工程においてそれぞれ記録された前記第１のパターンと前記第２のパターンとに基づいて前記第２の方向に対する記録ずれを調整するための調整値を算出する算出工程と、
前記算出工程において算出された前記調整値に用いて前記第１の方向に関する前記記録ヘッドの傾きを調整する調整工程とを有することを特徴とする記録ヘッドの調整方法。
【手続補正書】
【提出日】令和2年4月30日(2020.4.30)
【手続補正１】
【補正対象書類名】特許請求の範囲
【補正対象項目名】請求項３
【補正方法】変更
【補正の内容】
【請求項３】
前記可塑剤リッチ層は、前記シールリップ部に含まれる可塑剤成分に対して、可塑剤成分の重量分率の差が３％〜２５％である請求項１及び請求項２に記載のアウターウェザーストリップ。
【手続補正２】
【補正対象書類名】明細書
【補正対象項目名】００１９
【補正方法】変更
【補正の内容】
【００１９】
請求項２の本発明では、可塑剤リッチ層は、シールリップ部のドアガ  ラスと当接する面側のヒンジ部に形成されているので、時間の経過と共にヒンジ部において、可塑剤成分が高濃度の可塑剤リッチ層側から低濃度のヒンジ部側へ移動する現象が発生し、可塑剤成分が減少した可塑剤リッチ層には収縮力が、可塑剤成分が増加したヒンジ部には膨張力が発生する。
【手続補正３】
【補正対象書類名】明細書
【補正対象項目名】００２８
【補正方法】変更
【補正の内容】
【００２８】
図１は本発明の第１の実施形態を示すものであり、アウターウェザーストリップ１０をドアパネル２の上縁部２ｃに取り付けた状態の図３におけるＡ−Ａ矢視線断面図である。アウターウェザーストリップ１０は、所定の間隔を隔てて対向する車外側側壁５３と、車内側側壁５１と、車外側側壁５３と車内側側壁５１の上縁同士を一体に連結する頂壁５２とからなる本体部５０を備える。内面電極は、内面電極は、導電体で形成される長尺状の内面電極線を有する。このため、長尺の管状物品の全長に亘り挿入されて、管状物品の内面に電流を確実に流すことができ、管状物品の内面の全長に亘り内部にめっきを施すことができる。
【手続補正４】
【補正対象書類名】明細書
【補正対象項目名】００３４
【補正方法】変更
【補正の内容】
【００３４】
本実施形態では、アウターウェザーストリップ１０は、熱可塑性エラストマーとしてＴＰＶ（動的加硫系熱可塑性エラストマー）を用いた。可塑剤リッチ層６３、可塑剤リッチ層７３の上方シールリップ部６０及び下方シールリップ部７０を形成する熱可塑性エラストマーに含まれる可塑剤成分に対する可塑剤成分の重量分率の差は、１２％である。また、可塑剤リッチ層６３、可塑剤リッチ層７３の厚さは、それぞれ０．６ｍｍである。
【手続補正５】
【補正対象書類名】明細書
【補正対象項目名】００３９
【補正方法】変更
【補正の内容】
【００３９】
図２は、本発明の第２の実施形態を示すものであり、アウターウェザーストリップ１０をドアパネル２の上縁部２ｃに取り付けた状態の図３におけるＡ−Ａ矢視線断面図である。本第２の実施形態と前述の第１の実施形態の相違点は、本第２の実施形態においては、可塑剤リッチ層６３、可塑剤リッチ層７３に関し、上方シールリップ部６０、下方シールリップ部７０のヒンジ部６２、ヒンジ部７２に形成されていることである。本実施形態においても、可塑剤リッチ層６３、可塑剤リッチ層７３の上方シールリップ部６０、下方シールリップ部７０を形成する熱可塑性エラストマーに含まれる可塑剤成分に対する可塑剤成分の重量分率の差は、１２％であり、可塑剤リッチ層６３、可塑剤リッチ層７３の厚さは、それぞれ０．６ｍｍである。
【手続補正６】
【補正対象書類名】明細書
【補正対象項目名】００４９
【補正方法】変更
【補正の内容】
【００４９】
上記第１と第２の実施形態は、使用する熱可塑性エラストマーとしてＴＰＶ（動的加硫系熱可塑性エラストマー）の場合について検証したが、ＴＰＳ（スチレン系熱可塑性エラストアマー）についても同様な効果を得ることができる。
【手続補正７】
【補正対象書類名】図面
【補正対象項目名】図１
【補正方法】変更
【補正の内容】
【図１】
2019130964.tif 000001
【手続補正８】
【補正対象書類名】図面
【補正対象項目名】図２
【補正方法】変更
【補正の内容】
【図２】
2019130964.tif 000002
【手続補正９】
【補正対象書類名】図面
【補正対象項目名】図５
【補正方法】変更
【補正の内容】
【図５】
2019130964.tif 000003
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
所定条件の成立により抽選を行い、該抽選の結果が当りの場合に遊技者に所定の利益を付与するようにした遊技機であって、
遊技の進行を制御する主制御ＭＰＵを有する主制御部と、
該主制御部を収容する主制御基板ボックスと、
該主制御基板ボックス内に設けられると共に前記抽選の当り確率に関する設定値を設定可能な設定スイッチと、を備え、
前記主制御基板ボックスは、
ベース体と、
該ベース体に被さる透明なカバー体とを備えると共に、該カバー体と前記ベース体の間の内部空間に前記主制御部を収容するものであり、
一方、前記設定スイッチは、設定キーにより回動操作する設定キーシリンダを有すると共に、前記カバー体に開設された開口部から前記設定キーシリンダの操作部が外部に臨むように形成されており、
さらに前記設定スイッチの設定キーシリンダは、前記カバー体の外表面より前記操作部の位置が奥まるようにして、該操作部と前記開口部によって凹状の窪みが形成されるようになっていることを特徴とする遊技機。
【手続補正２】
【補正対象書類名】明細書
【補正対象項目名】０００５
【補正方法】変更
【補正の内容】
【０００５】
本発明は、上記に鑑みなされたものであり、その目的は、不正行為を抑制する遊技機を提供することにある。
【手続補正３】
【補正対象書類名】明細書
【補正対象項目名】０００６
【補正方法】変更
【補正の内容】
【０００６】
上記の目的を達成するため本発明は、請求項１に記載したように、所定条件の成立により抽選を行い、該抽選の結果が当りの場合に遊技者に所定の利益を付与するようにした遊技機であって、遊技の進行を制御する主制御ＭＰＵを有する主制御部と、該主制御部を収容する主制御基板ボックスと、該主制御基板ボックス内に設けられると共に前記抽選の当り確率に関する設定値を設定可能な設定スイッチと、を備え、前記主制御基板ボックスは、
ベース体と、該ベース体に被さる透明なカバー体とを備えると共に、該カバー体と前記ベース体の間の内部空間に前記主制御部を収容するものであり、一方、前記設定スイッチは、設定キーにより回動操作する設定キーシリンダを有すると共に、前記カバー体に開設された開口部から前記設定キーシリンダの操作部が外部に臨むように形成されており、さらに前記設定スイッチの設定キーシリンダは、前記カバー体の外表面より前記操作部の位置が奥まるようにして、該操作部と前記開口部によって凹状の窪みが形成されるようになっていることを特徴とする遊技機。
【手続補正４】
【補正対象書類名】明細書
【補正対象項目名】０００９
【補正方法】変更
【補正の内容】
【０００９】
本発明によれば、不正行為を抑制する遊技機を提供することができる。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
所定条件の成立により抽選を行い、該抽選の結果が当りの場合に遊技者に所定の利益を付与するようにした遊技機であって、
遊技の進行を制御する主制御ＭＰＵを有する主制御部と、
該主制御部を収容する主制御基板ボックスと、
該主制御基板ボックス内に設けられると共に前記抽選の当り確率に関する設定値を設定可能な設定スイッチと、
前記主制御基板ボックスは、
ベース体と、
該ベース体に被さるカバー体とを備えると共に、該カバー体と前記ベース体の間の内部空間に前記主制御部を収容するものであり、
前記設定スイッチは、取付部と、該取付部の頂部形状より小径なシリンダ状で設定キーにより回動操作される設定キーシリンダと、を有すると共に、前記カバー体に開設された開口部から前記設定キーシリンダの頂部が外部に臨むように形成されており、
さらに前記設定キーシリンダは、前記カバー体の前記内部空間側に突設された受筒部に嵌め合わされ、
一方、前記受筒部の反開口部側の筒端部を、前記設定スイッチの設定キーシリンダの外側にはみ出す前記取付部の頂部に近接させることにより、該受筒部と設定キーシリンダの間の隙間に差し入れられた異物の前記内部空間内への通過を阻害し得るようにしたことを特徴とする遊技機。
【手続補正２】
【補正対象書類名】明細書
【補正対象項目名】０００５
【補正方法】変更
【補正の内容】
【０００５】
本発明は、上記に鑑みなされたものであり、その目的は、不正行為を抑制する遊技機を提供することにある。
【手続補正３】
【補正対象書類名】明細書
【補正対象項目名】０００６
【補正方法】変更
【補正の内容】
【０００６】
上記の目的を達成するため本発明は、請求項１に記載したように、所定条件の成立により抽選を行い、該抽選の結果が当りの場合に遊技者に所定の利益を付与するようにした遊技機であって、遊技の進行を制御する主制御ＭＰＵを有する主制御部と、該主制御部を収容する主制御基板ボックスと、該主制御基板ボックス内に設けられると共に前記抽選の当り確率に関する設定値を設定可能な設定スイッチと、前記主制御基板ボックスは、ベース体と、該ベース体に被さるカバー体とを備えると共に、該カバー体と前記ベース体の間の内部空間に前記主制御部を収容するものであり、前記設定スイッチは、取付部と、該取付部の頂部形状より小径なシリンダ状で設定キーにより回動操作される設定キーシリンダと、を有すると共に、前記カバー体に開設された開口部から前記設定キーシリンダの頂部が外部に臨むように形成されており、さらに前記設定キーシリンダは、前記カバー体の前記内部空間側に突設された受筒部に嵌め合わされ、一方、前記受筒部の反開口部側の筒端部を、前記設定スイッチの設定キーシリンダの外側にはみ出す前記取付部の頂部に近接させることにより、該受筒部と設定キーシリンダの間の隙間に差し入れられた異物の前記内部空間内への通過を阻害し得るようにしたことを特徴とする遊技機。
【手続補正４】
【補正対象書類名】明細書
【補正対象項目名】０００９
【補正方法】変更
【補正の内容】
【０００９】
本発明によれば、不正行為を抑制する遊技機を提供することができる。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
被写体像を撮像する撮像素子を有する撮像装置であって、
被写体側の前面とその反対側の背面とを有し、前記前面に前記撮像素子が実装された撮像素子基板と、
前記撮像装置の振れを検出する振れセンサとを有し、
前記振れセンサは、前記撮像素子基板の前記背面に実装されていることを特徴とする撮像装置。
【請求項２】
前記振れセンサは、前記撮像素子基板の前記背面のうち周辺領域よりも中心側の領域に実装されていることを特徴とする請求項１に記載の撮像装置。
【請求項３】
前記撮像素子基板は、前記撮像素子に電源を供給するための第１の電源パターンと前記被写体像を形成する撮像レンズユニットに電源を供給するための第２の電源パターンとを有し、
前記振れセンサは、前記撮像素子基板の前記背面のうち前記第１および第２の電源パターンに対して基板厚み方向において重ならない領域に実装されていることを特徴とする請求項１または２に記載の撮像装置。
【請求項４】
前記撮像素子基板を保持する保持部材と、該保持部材を保持するベースユニットとを有し、
前記保持部材は、弾性部材を介して前記ベースユニットにより保持されていることを特徴とする請求項１から３のいずれか一項に記載の撮像装置。
【請求項５】
前記振れセンサの出力を用いて前記撮像装置を制御するコントローラが実装された制御基板を有し、
前記制御基板は、前記ベースユニットにより保持されており、
前記制御基板と前記撮像素子基板とがフレキシブル配線板によって接続されていることを特徴とする請求項４に記載の撮像装置。
【請求項６】
前記振れセンサは、互いに直交する３つの軸回りでの前記振れを検出することを特徴とする請求項１から５に記載の撮像装置。
【請求項７】
前記振れセンサは、角速度センサであることを特徴とする請求項１から６のいずれか一項に記載の撮像装置。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
被写体からの光を撮像面に導くための光学系を保持する保持筒と、
前記光学系の光軸の回りに回転しながら前記光軸に沿って移動することで、前記保持筒を前記光軸に沿って移動させるカム筒と、
前記カム筒を回転させるために前記カム筒に係合する第１の回転部材と、前記第１の回転部材とは異なる位置に設けられた第２の回転部材とを含む複数の回転部材を有する駆動ユニットと、を有し、
前記第１の回転部材を除く前記駆動ユニットの少なくとも一部は、前記カム筒の内面より内側、かつ前記カム筒の前記撮像面の側の端部より被写体側に配置され、
前記複数の回転部材のうち、前記第１の回転部材を除く複数の特定の回転部材は、前記複数の特定の回転部材それぞれの少なくとも一部がカム筒の前記内面より内側に配置され、
前記第２の回転部材は、前記複数の回転部材のうち最も前記被写体側に、かつ前記第１の回転部材に対して、前記カム筒が前記被写体側に移動する前記カム筒の回転方向の側に配置されていることを特徴とするレンズ鏡筒。
【請求項２】
手動で回転操作される操作部材を有し、
前記複数の回転部材は、前記操作部材が回転操作された場合に前記第１の回転部材に回転力を伝達する第３の回転部材を備えることを特徴とする請求項１に記載のレンズ鏡筒。
【請求項３】
前記第３の回転部材は、前記カム筒の前記内面より外側に配置されていることを特徴とする請求項２に記載のレンズ鏡筒。
【請求項４】
前記第２の回転部材は、モータであることを特徴とする請求項１から３のいずれか１項に記載のレンズ鏡筒。
【請求項５】
前記第１の回転部材は、遊星歯車機構を介して前記第２の回転部材と接続することを特徴とする請求項１から４のいずれか１項に記載のレンズ鏡筒。
【請求項６】
前記第１の回転部材は、遊星歯車機構を介して前記第３の回転部材と接続することを特徴とする請求項２に記載のレンズ鏡筒。
【請求項７】
前記第１の回転部材は、遊星歯車機構を介して前記第２の回転部材および前記第３の回転部材と接続することを特徴とする請求項２に記載のレンズ鏡筒。
【請求項８】
前記操作部材には特定のトルクが付加されていることを特徴とする請求項７に記載のレンズ鏡筒。
【請求項９】
前記第１の回転部材は、前記第２の回転部材と前記第３の回転部材との間に配置されていることを特徴とする請求項２に記載のレンズ鏡筒。
【請求項１０】
請求項１から９のいずれか１項に記載のレンズ鏡筒と、
前記被写体からの光を受ける前記撮像面を含む撮像素子と、
を有することを特徴とする撮像装置。
【手続補正２】
【補正対象書類名】明細書
【補正対象項目名】発明の名称
【補正方法】変更
【補正の内容】
【発明の名称】レンズ鏡筒および撮像装置
【手続補正３】
【補正対象書類名】明細書
【補正対象項目名】０００１
【補正方法】変更
【補正の内容】
【０００１】
本発明は、レンズ鏡筒および撮像装置に関する。
【手続補正４】
【補正対象書類名】明細書
【補正対象項目名】０００５
【補正方法】変更
【補正の内容】
【０００５】
このような課題に鑑みて、本発明は、例えば、焦点距離範囲の広さ、および光軸方向における小型の点で有利なレンズ鏡筒を提供することを目的とする。
【手続補正５】
【補正対象書類名】明細書
【補正対象項目名】０００６
【補正方法】変更
【補正の内容】
【０００６】
本発明の一側面としてのレンズ鏡筒は、被写体からの光を撮像面に導くための光学系を保持する保持筒と、前記光学系の光軸の回りに回転しながら前記光軸に沿って移動することで、前記保持筒を前記光軸に沿って移動させるカム筒と、前記カム筒を回転させるために前記カム筒に係合する第１の回転部材と、前記第１の回転部材とは異なる位置に設けられた第２の回転部材とを含む複数の回転部材を有する駆動ユニットと、を有し、前記第１の回転部材を除く前記駆動ユニットの少なくとも一部は、前記カム筒の内面より内側、かつ前記カム筒の前記撮像面の側の端部より被写体側に配置され、前記複数の回転部材のうち、前記第1の回転部材を除く複数の特定の回転部材は、前記複数の特定の回転部材それぞれの少なくとも一部がカム筒の前記内面より内側に配置され、前記第２の回転部材は、前記複数の回転部材のうち最も前記被写体側に、かつ前記第１の回転部材に対して、前記カム筒が前記被写体側に移動する前記カム筒の回転方向の側に配置されていることを特徴とする。
【手続補正６】
【補正対象書類名】明細書
【補正対象項目名】０００７
【補正方法】変更
【補正の内容】
【０００７】
本発明によれば、例えば、焦点距離範囲の広さ、および光軸方向における小型の点で有利なレンズ鏡筒を提供することができる。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
路面上の物体を検出する物体検出装置であって、
画像データを用い、画像中の所定の構造物を検出する構造物検出ユニットと、
前記構造物検出ユニットにより検出された前記所定の構造物と、地面との境界位置を導出する境界位置導出ユニットとを備えている物体検出装置。
【請求項２】
路面および路肩を撮影して画像データを生成するステレオカメラと、
前記ステレオカメラにより生成した画像データを用い、この画像データ中の各画素における視差データを算出する三次元データ生成ユニットと、
構造物検出ユニットは、前記視差データおよび／または前記画像データを用い、前記路肩に設置された所定の構造物を検出する路肩構造物検出ユニットであり、
境界位置導出ユニットは、前記路肩構造物検出ユニットにより検出された前記構造物の接地位置を導出する構造物接地位置導出ユニットであり、
前記構造物の接地位置を用い、前記路面の高さを推定する路面位置推定ユニットと、
前記三次元データ生成ユニットにより生成された視差データと前記路面位置推定ユニットにより推定された路面の高さとを用い、前記視差データのうちの前記路面に対応する視差データとこの視差データ以外の視差データとを分離することにより、前記路面上の物体を検出する物体検出ユニットとを備えている請求項１に記載の物体検出装置。
【請求項３】
路面位置推定ユニットが、構造物の接地位置を用い、ステレオカメラの視線方向の各位置ごとに路面の高さを推定する請求項２に記載の物体検出装置。
【請求項４】
構造物接地位置導出ユニットが、構造物の視差データおよび／または前記構造物の画像データを用い、前記構造部の接地位置を導出する請求項２または請求項３に記載の物体検出装置。
【請求項５】
構造物の高さ情報が格納されたデータベースを備え、
構造物接地位置導出ユニットが、前記構造物の視差データと前記データベースに格納された前記構造物の高さ情報とを用い、前記構造物の接地位置を導出する請求項２から請求項４のいずれか１項に記載の物体検出装置。
【手続補正２】
【補正対象書類名】明細書
【補正対象項目名】０００７
【補正方法】変更
【補正の内容】
【０００７】
本発明は、
（１）路面上の物体を検出する物体検出装置であって、
前記路面および路肩を撮影して画像データを生成するステレオカメラと、
前記ステレオカメラにより生成した画像データを用い、この画像データ中の各画素における視差データを算出する三次元データ生成ユニットと、
前記視差データおよび／または前記画像データを用い、前記路肩に設置された所定の構造物を検出する路肩構造物検出ユニットと、
前記路肩構造物検出ユニットにより検出された前記構造物の接地位置を導出する構造物接地位置導出ユニットと、
前記構造物の接地位置を用い、前記路面の高さを推定する路面位置推定ユニットと、
前記三次元データ生成ユニットにより生成された視差データと前記路面位置推定ユニットにより推定された路面の高さとを用い、前記視差データのうちの前記路面に対応する視差データとこの視差データ以外の視差データとを分離することにより、前記路面上の物体を検出する物体検出ユニットとを備えていることを特徴とする物体検出装置、
（２）路面位置推定ユニットが、構造物の接地位置を用い、ステレオカメラの視線方向の各位置ごとに路面の高さを推定する前記（１）に記載の物体検出装置、
（３）構造物接地位置導出ユニットが、構造物の視差データおよび／または前記構造物の画像データを用い、前記構造部の接地位置を導出する前記（１）または（２）に記載の物体検出装置、並びに
（４）構造物の高さ情報が格納されたデータベースを備え、
構造物接地位置導出ユニットが、前記構造物の視差データと前記データベースに格納された前記構造物の高さ情報とを用い、前記構造物の接地位置を導出する前記（１）から（３）のいずれか１項に記載の物体検出装置
に関する。